(57)【要約】【課題】  本発明は、ラジオを聴取中の好みでない曲の聴取は飛ばすが、その曲の終了後にラジオを継続して聴取することのできるラジオ受信機を提供することを目的とする。【解決手段】  制御部６は、スピーカ１０へ出力するオーディオ信号が受信部７からの出力である時に、操作部５が曲を飛ばす操作を受け付けると、この制御部６は、スピーカ１０へ出力するオーディオ信号を記憶部８が保持するオーディオ信号へ切り替え、その後、受信部７から出力されるオーディオ信号の曲終了を検出するとスピーカ１０へ出力するオーディオ信号を受信部７から出力されるオーディオ信号に切り替える構成とした。【選択図】図２
2012124691.tif 000002
【特許請求の範囲】
【請求項１】
放送を受信する受信部と、この受信部に接続された制御部と、この制御部に接続されたオーディオ信号を保持する記憶部、およびユーザの操作を受け付ける操作部とを備え、
前記制御部は、前記操作部により、スピーカへ出力するオーディオ信号として前記受信部からの出力が選択されている時に、前記操作部により曲を飛ばす操作がされると、この制御部からスピーカへ出力するオーディオ信号を、前記記憶部が保持するオーディオ信号へ切り替え、その後、前記受信部から出力されるオーディオ信号の曲終了を検出すると、この制御部からスピーカへ出力するオーディオ信号を、前記受信部から出力されるオーディオ信号へと切り替える構成としたラジオ受信機。
【請求項２】
前記操作部の曲を飛ばす操作を受け付けるスイッチは、スピーカへ出力するオーディオ信号が、前記受信部および前記記憶部のどちらが出力している場合でも同じであることを特徴とする請求項１に記載のラジオ受信機。
【請求項３】
前記制御部は、前記受信部から出力のオーディオ信号の無音部分を検出することにより曲終了を検出することを特徴とする請求項１に記載のラジオ受信機。
【発明の詳細な説明】
【技術分野】
【０００１】
本発明は、例えば車載用に用いられるラジオ受信機に関し、特にユーザが好みの音楽を継続して聴取可能なラジオ受信機に関するものである。
【背景技術】
【０００２】
従来、この種ラジオ受信機の構成は、以下のような構成となっていた。
【０００３】
すなわち、放送を受信する受信部と、この受信部に接続された制御部と、この制御部に接続されたオーディオ信号を保持する記憶部、およびユーザの操作を受け付ける操作部とを備え、前記制御部は、前記操作部により選択された受信部、あるいは記憶部の出力をスピーカへ出力する構成となっていた。（例えば、特許文献１参照）
【先行技術文献】
【特許文献】
【０００４】
【特許文献１】特開２００５−３１８０８２号公報
【発明の概要】
【発明が解決しようとする課題】
【０００５】
上記従来例では、ユーザがラジオを試聴する為に、操作部により受信部を選択していた場合に、ラジオから好みでない曲が流れてきた時に、その曲が流れている間は記憶部（例えばＣＤ）など別のソースに切り替え、その曲が終了すると再度、ラジオに切り替える場合がある。
【０００６】
しかしながら、従来の構成では、ラジオの好みでない曲を飛ばすために、ＣＤなど他のソースに切り替えた後、再度ラジオに戻すタイミングが分からず、使い勝手の悪いものとなっていた。
【０００７】
本発明は、ラジオを聴取中の好みでない曲の聴取は飛ばすが、その曲の終了後にラジオを継続して聴取することのできるラジオ受信機を提供することを目的とするものである。
【課題を解決するための手段】
【０００８】
上記目的を達成するために本発明は、前記制御部を、前記操作部により、スピーカへ出力するオーディオ信号として前記受信部からの出力が選択されている時に、前記操作部により曲を飛ばす操作がされると、この制御部からスピーカへ出力するオーディオ信号を、前記記憶部が保持するオーディオ信号へ切り替え、その後、前記受信部から出力されるオーディオ信号の曲終了を検出すると、この制御部からスピーカへ出力するオーディオ信号を、前記受信部から出力されるオーディオ信号へと切り替える構成とし、これにより所期の目的を達成するものである。
【発明の効果】
【０００９】
以上のように本発明によれば、前記制御部が、前記操作部により、スピーカへ出力するオーディオ信号として前記受信部からの出力が選択されている時に、前記操作部により曲を飛ばす操作がされると、この制御部からスピーカへ出力するオーディオ信号を、前記記憶部が保持するオーディオ信号へ切り替え、その後、前記受信部から出力されるオーディオ信号の曲終了を検出すると、この制御部からスピーカへ出力するオーディオ信号を、前記受信部から出力されるオーディオ信号へと切り替える構成としたので、ラジオ聴取中の好みでない曲を飛ばし、その曲の終了後にラジオを継続して聴取することができるので、
その結果として、使い勝手が向上するのである。
【図面の簡単な説明】
【００１０】
【図１】本発明の実施の形態にかかる自動車の車内を模式的に示した図
【図２】本発明の実施の形態にかかるラジオ受信機の構成を示す図
【図３】同構成を示すブロック図
【図４】同動作状態を示す図
【図５】同制御フローチャート
【発明を実施するための形態】
【００１１】
以下、本発明の実施の形態におけるラジオ受信機について図面を参照しながら説明する。
【００１２】
図１は、自動車の車内を模式的に示したものであって、ハンドル１の左方には、ラジオ受信機２が配置されている。
【００１３】
さて、図２は、ラジオ受信機２の具体的な構成を示すものであって、図２に示す本体ケース３と、この本体ケース３の表面側に設けたディスプレイ４と、このディスプレイ４の下方にボタン類で構成される操作部５とを有する。また、ディスプレイ４の上方には、ディスク挿入口５ａを有する。なお、ディスプレイ４は、液晶パネルを用いることが好適で、受信中の放送局名や周波数、再生中の楽曲タイトルやアルバム、歌手名などを表示する。
【００１４】
さらに、図３に示すように、ラジオ受信機２は、これら操作部５およびディスプレイ４に接続されるとともに本体ケース３内に設けた制御部６と、この制御部６に接続された受信部７、記憶部８とを備えている。また、制御部６には、オーディオ信号を増幅するアンプ９、およびアンプ９を経由してスピーカ１０が接続されている。なお、記憶部８は、ＣＤ（ｃｏｍｐａｃｔ  ｄｉｓｃ）に代表されるディスクドライブ８ａやメモリ８ｂであり、オーディオ信号を保持している。
【００１５】
次に、各構成について説明する。
【００１６】
ＦＭ放送に代表される放送電波をアンテナ７ａを経由して受信した受信部７は、オーディオ信号を制御部６へ出力する。
【００１７】
また、記憶部８は、オーディオ信号を保持しており、操作部５に再生指示があるとオーディオ信号を制御部６へ入力する。制御部６は、操作部５が受け付けたユーザの操作に従い、受信部７や記憶部８にオーディオ信号を再生するよう指示したり、スピーカから出力するオーディオ信号を切り替える。
【００１８】
例えば、図２の操作部５における「ＦＭ」と表示されたボタンがユーザにより操作されると、制御部６は、受信部７にＦＭ放送を受信するよう指示し、受信部７から入力されたオーディオ信号をスピーカ１０から出力するオーディオ信号とする（つまりＦＭラジオが聴取される）。
【００１９】
同様に、図２の操作部５における「ＣＤ」と表示されたボタンがユーザにより操作されると、制御部６は、ディスクドライブ８ａに挿入されたＣＤを再生するよう指示し、ディスクドライブ８ａから出力されたオーディオ信号をスピーカ１０から出力するオーディオ信号とする（つまりＣＤが聴取される）。
【００２０】
ここで、図４を用いてユーザが聴取中の曲を飛ばす操作について説明する。
【００２１】
まず、ＣＤを再生中に、ユーザが図２の操作部５における「ＴＲＡＣＫ」と表示されたボタンの右側を押下する。すると、制御部６は、次のトラックの曲へジャンプするようディスクドライブ８ａに指示する。
【００２２】
一方、ＦＭラジオを聴取中に、ユーザが操作部５における「ＴＲＡＣＫ」と表示されたボタンの右側を押下する。すると、制御部６は、ＣＤなど記憶部８に保持されたオーディオ信号を再生するよう指示し、記憶部８から出力されたオーディオ信号をスピーカ１０から出力するオーディオ信号とする（図４のユーザ操作でのソース切替１１）。
【００２３】
このようにして、このオーディオ信号の試聴はＦＭラジオからＣＤへと切り替えられるが、本実施形態において特徴的なのは、この時にも、受信部７の受信は継続されていることであり、ボタンが押されたときの曲の終了（ＦＭラジオの曲の終了）を検出する処理を行う。
【００２４】
このようにして、制御部６が、曲終了（ＦＭラジオの曲の終了）を検出すると、受信部７から出力されたオーディオ信号を、スピーカ１０から出力するオーディオ信号に戻す（図４の曲終了検出でのソース切替１２）。なお、ソース切替とは、制御部６がスピーカ１０から出力するオーディオ信号を切り替えることであり、この時にはＣＤからＦＭラジオへと切り替え、戻される。
【００２５】
このようにすることで、ユーザは、ＦＭラジオで聴取中の曲を飛ばしたいときに、ＣＤなど記憶部８のオーディオ信号を再生中と同じボタンの操作で曲を飛ばすことができ、非常に使い勝手が良いものとなる。
【００２６】
以上の構成において、以下本実施の形態における動作について、図５のフローチャートを用いて詳しく説明する。
【００２７】
まず、ユーザが操作部５の「ＦＭ」と表示されたボタンの操作し、ラジオ聴取中とする（ステップ５０）。この時、ユーザにより操作部５の「ＴＲＡＣＫ」と表示されたボタンの右側（ＴＲＡＣＫＵＰと呼ぶ）が押下される（ステップ５１）。すると、制御部６は、現在聴取中のソースを判断、つまりスピーカ１０から出力しているオーディオ信号が何かを判断し、ラジオ以外であればステップ５３へ進み、それぞれのソースに応じた処理を実行する。例えば、ソースがＣＤであれば、制御部６は、次のトラックの曲へジャンプするようディスクドライブ８ａに指示する。一方、ラジオ聴取中であれば、ステップ５４へ進む。
【００２８】
ステップ５４では、制御部６は、記憶部８から出力されたオーディオ信号をスピーカ１０から出力するオーディオ信号とする（ステップ５８）。
【００２９】
この時、記憶部８のディスクドライブ８ａまたはメモリ８ｂを優先して切り替えるように設定しておいてもよい。また、ディスプレイ４に表示する内容は、記憶部８のオーディオ信号を聴取中と同じとしてもよいし、一時的にＦＭラジオの聴取中を中断していることをユーザに伝える内容としてもよい。
【００３０】
そして、この処理の実施と平行して、受信部７の受信を継続し、ユーザが操作部５の「ＴＲＡＣＫ」と表示されたボタンの右側（ＴＲＡＣＫＵＰと呼ぶ）を押下する前に聴取していた曲の終了検知を行う（ステップ５５）。
【００３１】
この処理は、一定時間経過するまで継続するようにしても良い（ステップ５６）。
【００３２】
ステップ５５において、制御部６は、曲終了を検出すると、ソースをＦＭラジオに切り替え、ディスプレイ４の表示もＦＭラジオ聴取中の内容に戻す（ステップ５７）。
【００３３】
以上により処理を終了する。
【００３４】
なお、制御部６は、受信部７のオーディオ信号の無音部分の検出により曲終了を判断することができる。その他、ラジオ放送にテキスト情報が含まれるものもあり、この場合、テキスト情報を基に曲の終了を判断してもよい。
【００３５】
以上のごとく本実施形態においては、ラジオ聴取中の好みでない曲を飛ばし、その曲の終了後にラジオを継続して聴取することができるので、その結果として、使い勝手が向上するのである。
【００３６】
また、ユーザは、ＦＭラジオで聴取中の曲を飛ばしたいときに、ＣＤなど記憶部８のオーディオ信号を再生中と同じボタンの操作で曲を飛ばすことができ、非常に使い勝手が良いものとなる。
【産業上の利用可能性】
【００３７】
以上のように、ラジオ聴取中の好みでない曲を飛ばし、その曲の終了後にラジオを継続して聴取することができるので、その結果として、使い勝手が向上するのである。
【００３８】
したがって、車載用として広く活用が期待されるものとなる。
【符号の説明】
【００３９】
１  ハンドル
２  ラジオ受信機
３  本体ケース
４  ディスプレイ
５  操作部
５ａ  ディスク挿入口
６  制御部
７  受信部
７ａ  アンテナ
８  記憶部
８ａ  ディスクドライブ
８ｂ  メモリ
９  アンプ
１０  スピーカ
【図１】
2012124691.tif 000003
【図２】
2012124691.tif 000004
【図３】
2012124691.tif 000005
【図４】
2012124691.tif 000006
【図５】
2012124691.tif 000007